(57)【要約】【課題】露光装置を複数の傾斜角度で取り付けても、露光装置の下方に無駄な空間が発生するのを抑制することができる画像形成装置を得る。【解決手段】筐体１２２の一端側を先細りとし、先細りとなった一端側を低位置にして露光装置４０を第１の傾斜角度と第２の傾斜角度でそれぞれ装置本体１０Ａ及び装置本体に取り付ける場合に、シャフト部材１３４及びシャフト部材１４６をどちらの傾斜角度で露光装置４０を取り付けても最下端となる最下端部１３２に対して上方に設けることで、露光装置４０の下方に無駄な空間が発生するのを抑制することができる。【選択図】図１
2011022251.tif 000002
【特許請求の範囲】
【請求項１】
傾斜して並べられ、トナー画像を形成する複数個の画像形成部と、
傾斜して配置され、複数個の前記画像形成部で形成されたトナー画像が転写される転写ベルトと、
前記画像形成部の下方に配置され、前記画像形成部に設けられた像保持体に光を照射して前記像保持体の表面を露光する光学系を筐体の内部に備えると共に、前記転写ベルトの幅方向から見て前記筐体の一端側が先細りとされ、一端側が低位置となる複数の傾斜角度で取り付けられる露光装置と、
前記筐体の一端側に設けられ、装置本体に取り付けられると共に、複数の前記傾斜角度のうちどの傾斜角度で前記露光装置を取り付けても前記筐体の最下端となる最下端部よりも上方にある一端側取付部と、
前記筐体の他端側に設けられ、装置本体に取り付けられると共に、前記最下端部よりも上方にある他端側取付部と、
装置本体に設けられ、前記筐体が複数の前記傾斜角度のうちの一の傾斜角度となるように、前記一端側取付部及び前記他端側取付部を装置本体に取り付ける取付具と、
を備える画像形成装置。
【請求項２】
先細りとされた前記筐体の一端側の上面の仮想延長面と、一端側の下面の仮想延長面との間に、前記一端側取付部が設けられる請求項１に記載の画像形成装置。
【請求項３】
前記画像形成部に電力を直接又は間接的に供給する電源部が、前記露光装置に対して水平方向に並んで設けられる請求項１又は２に記載の画像形成装置。
【発明の詳細な説明】
【技術分野】
【０００１】
本発明は、画像形成装置に関する。
【背景技術】
【０００２】
特許文献１に記載の画像形成装置では、各色のトナー画像が転写される中間転写ベルトが水平方向に対して傾斜して設けられている。さらに、この中間転写ベルトの下方には、中間転写ベルトに転写されるトナー画像が形成される各色の画像形成ユニットが中間転写ベルトに沿って傾斜するように並んで配置されている。
【０００３】
さらに、傾斜するように配置された各色の画像形成ユニットの下方には、各画像形成ユニットに設けられた像保持体を露光する露光装置が傾斜して配置されている。
【先行技術文献】
【特許文献】
【０００４】
【特許文献１】特開２００３−２０２７２８号公報
【発明の概要】
【発明が解決しようとする課題】
【０００５】
本発明の課題は、露光装置を複数の傾斜角度で取り付けても、露光装置の下方に無駄な空間が発生するのを抑制することである。
【課題を解決するための手段】
【０００６】
本発明の請求項１に係る画像形成装置は、傾斜して並べられ、トナー画像を形成する複数個の画像形成部と、傾斜して配置され、複数個の前記画像形成部で形成されたトナー画像が転写される転写ベルトと、前記画像形成部の下方に配置され、前記画像形成部に設けられた像保持体に光を照射して前記像保持体の表面を露光する光学系を筐体の内部に備えると共に、前記転写ベルトの幅方向から見て前記筐体の一端側が先細りとされ、一端側が低位置となる複数の傾斜角度で取り付けられる露光装置と、前記筐体の一端側に設けられ、装置本体に取り付けられると共に、複数の前記傾斜角度のうちどの傾斜角度で前記露光装置を取り付けても前記筐体の最下端となる最下端部よりも上方にある一端側取付部と、前記筐体の他端側に設けられ、装置本体に取り付けられると共に、前記最下端部よりも上方にある他端側取付部と、装置本体に設けられ、前記筐体が複数の前記傾斜角度のうちの一の傾斜角度となるように、前記一端側取付部及び前記他端側取付部を装置本体に取り付ける取付具と、を備えることを特徴とする。
【０００７】
本発明の請求項２に係る画像形成装置は、請求項１記載において、先細りとされた前記筐体の一端側の上面の仮想延長面と、一端側の下面の仮想延長面との間に、前記一端側取付部が設けられることを特徴とする。
【０００８】
本発明の請求項３に係る画像形成装置は、請求項１又は２に記載において、前記画像形成部に電力を直接又は間接的に供給する電源部が、前記露光装置に対して水平方向に並んで設けられることを特徴とする。
【発明の効果】
【０００９】
本発明の請求項１の画像形成装置によれば、複数の傾斜角度で取り付けられる露光装置において、一端側取付部及び他端側取付部が筐体の最下端部より下方に設けられている場合と比して、露光装置を複数の傾斜角度で取り付けても、露光装置の下方に無駄な空間が発生するのを抑制することができる。
【００１０】
本発明の請求項２の画像形成装置によれば、筐体の一端側の上面の仮想延長面と、一端側の下面の仮想延長面との間に、一端側取付部が設けられない場合と比して、露光装置の上方及び下方に無駄な空間が発生するのを抑制することができる。
【００１１】
本発明の請求項３の画像形成装置によれば、電源部が露光装置に対して鉛直方向に重ねられるように設けられる構成と比して、電源部で発生した熱が露光装置に伝達するのを抑制することができる。
【図面の簡単な説明】
【００１２】
【図１】本発明の実施形態に係る画像形成装置の露光装置周辺を示した概略構成図である。
【図２】本発明の実施形態に係る画像形成装置の全体を示した概略構成図である。
【図３】本発明の実施形態に係る画像形成装置に採用された露光装置を示した斜視図である。
【図４】本発明の実施形態に係る画像形成装置に採用された露光装置を示した斜視図である。
【図５】本発明の実施形態に係る画像形成装置に採用された露光装置が装置本体に固定された状態を示した斜視図である。
【図６】本発明の実施形態に係る画像形成装置に採用された露光装置が装置本体に固定された状態を示した斜視図である。
【図７】本発明の実施形態に係る画像形成装置に採用された露光装置が装置本体に固定された状態を示した斜視図である。
【図８】本発明の実施形態に係る画像形成装置に採用された露光装置を装置本体に装着する方法を示した側面図である。
【図９】本発明の実施形態に係る画像形成装置に採用された露光装置を装置本体に装着する方法を示した側面図である。
【図１０】本発明の実施形態に係る画像形成装置に採用された露光装置を装置本体に装着した状態を示した側面図である。
【図１１】本発明の実施形態に係る画像形成装置に採用された露光装置を装置本体に固定する固定方法を示した拡大斜視図である。
【図１２】本発明の実施形態に係る画像形成装置に採用された露光装置を装置本体に固定する固定方法を示した拡大斜視図である。
【図１３】本発明の実施形態に係る画像形成装置の全体を示した概略構成図である。
【図１４】本発明の実施形態に係る画像形成装置に採用された露光装置が装置本体に固定された状態を示した斜視図である。
【図１５】本発明の実施形態に係る画像形成装置に採用された露光装置が装置本体に固定された状態を示した斜視図である。
【図１６】本発明の実施形態に係る画像形成装置に採用された露光装置が装置本体に固定された状態を示した斜視図である。
【図１７】本発明の実施形態に係る画像形成装置に採用された露光装置を装置本体に装着する方法を示した側面図である。
【図１８】本発明の実施形態に係る画像形成装置に採用された露光装置を装置本体に装着する方法を示した側面図である。
【図１９】本発明の実施形態に係る画像形成装置に採用された露光装置を装置本体に装着した状態を示した側面図である。
【発明を実施するための形態】
【００１３】
本発明の実施形態に係る画像形成装置の一例を図１〜図１９に従って説明する。
【００１４】
（全体構成）
図２に示されるように、本実施形態に係る画像形成装置１０の装置本体１０Ａの上部には、複数枚の読取原稿Ｇを一枚ずつ自動で搬送する自動原稿搬送装置１２と、一枚の読取原稿Ｇが載せられるプラテンガラス１６と、自動原稿搬送装置１２によって搬送された読取原稿Ｇ又はプラテンガラス１６に載せられた読取原稿Ｇを読み取る原稿読取装置１４とが設けられている。
【００１５】
この原稿読取装置１４には、自動原稿搬送装置１２によって搬送された読取原稿Ｇ又はプラテンガラス１６に載せられた読取原稿Ｇに光を照射する光源１８が設けられている。
【００１６】
さらに、原稿読取装置１４には、光源１８によって照射されて読取原稿Ｇから反射された反射光をプラテンガラス１６と平行な方向に反射させるフルレートミラー２０と、フルレートミラー２０によって反射した反射光を下方へ反射させるハーフレートミラー２２と、ハーフレートミラー２２によって反射した反射光をプラテンガラス１６と平行な方向に反射させて折り返すハーフレートミラー２４と、ハーフレートミラー２４によって折り返された反射光が入射される結像レンズ２６と、から構成される光学系が設けられている。
【００１７】
また、原稿読取装置１４には、結像レンズ２６によって結像された反射光を電気信号に変換する光電変換素子２８が設けられ、さらに、光電変換素子２８によって変換された電気信号を画像処理する画像処理装置２９が設けられている。
【００１８】
そして、光源１８、フルレートミラー２０、ハーフレートミラー２２及びハーフレートミラー２４は、プラテンガラス１６に沿って移動可能となっている。プラテンガラス１６に載せられた読取原稿Ｇを読み取る場合には、光源１８、フルレートミラー２０、ハーフレートミラー２２及びハーフレートミラー２４を移動させながら、光源１８がプラテンガラス１６に載せられた読取原稿Ｇに光を照射し、読取原稿Ｇから反射された反射光が光電変換素子２８へ結像するようになっている。
【００１９】
また、自動原稿搬送装置１２によって搬送された読取原稿Ｇを読み取る場合には、光源１８、フルレートミラー２０、ハーフレートミラー２２及びハーフレートミラー２４は、決められた位置に停止して、自動原稿搬送装置１２によって搬送された読取原稿Ｇに光源１８が光を照射し、読取原稿Ｇから反射された反射光が光電変換素子２８へ結像するようになっている。
【００２０】
一方、装置本体１０Ａの上下方向中央部には、互いに異なった色のトナー画像を形成すると共に、水平方向に対して傾斜した状態に並んで配置される画像形成部の一例としての複数個の画像形成ユニット３０が設けられている。さらに、画像形成ユニット３０の上側には、回転駆動する駆動ロール４８、張力を付与する張力付与ロール５４、従動回転する支持ロール５０、第１のアイドラーロール５６、第２のアイドラーロール５８に巻き掛けられる転写ベルトの一例としての無端状の中間転写ベルト３２が設けられている。そして、中間転写ベルト３２が図中矢印Ａ方向に循環駆動しながら各色の画像形成ユニット３０で形成されたトナー画像が中間転写ベルト３２に転写されるようになっている。
【００２１】
詳細には、図１に示されるように、イエロー（Ｙ）、マゼンタ（Ｍ）、シアン（Ｃ）、黒（Ｋ）の４つの画像形成ユニット３０Ｙ、３０Ｍ、３０Ｃ、３０Ｋがこの順で設けられている。そして、最初に中間転写ベルト３２に転写されるイエロー（Ｙ）のトナー画像が形成される画像形成ユニット３０Ｙが最も高く位置に、最後に中間転写ベルト３２に転写される黒（Ｋ）のトナー画像が形成される画像形成ユニット３０Ｋが最も低く位置に設けられ、画像形成ユニット３０Ｙ、３０Ｍ、３０Ｃ、３０Ｋは水平方向に対して決められた角度だけ斜めに傾斜した状態で一定の間隔を隔てて並べられている。
【００２２】
これらの４つの画像形成ユニット３０Ｙ、３０Ｍ、３０Ｃ、３０Ｋは、基本的に、同様に構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００２３】
各色の画像形成ユニット３０には、図示しない駆動手段によって矢印Ｄ方向に回転する像保持体３４が設けられ、さらに、この像保持体３４の表面を一様に帯電する帯電用の帯電部材３６が設けられている。
【００２４】
また、画像形成ユニット３０の下方には、帯電部材３６によって表面が一様に帯電した像保持体３４の表面に決められた色に対応した光を露光して静電潜像を形成させる露光装置４０が複数個の画像形成ユニット３０に沿うように傾斜して配置されている。さらに、帯電部材３６に対して像保持体３４の回転方向の下流側には、像保持体３４の表面に形成された静電潜像を決められた色のトナーで現像して可視化させる現像部材の一例としての現像器４２が設けられている。
【００２５】
そして、露光装置４０に対して水平方向に並んで、画像形成ユニット３０等に電力を供給する電源部４１が設けられている。なお、露光装置４０については詳細を後述する。
【００２６】
また、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。
【００２７】
つまり、画像形成ユニット３０は、像保持体３４と、帯電部材３６と、現像器４２と、クリーニング装置４４とを含んで構成されている。
【００２８】
一方、中間転写ベルト３２の上方には、イエロー（Ｙ）、マゼンタ（Ｍ）、シアン（Ｃ）、黒（Ｋ）の各色の現像器４２に、決められた色のトナーを供給するトナーカートリッジ３８Ｙ、３８Ｍ、３８Ｃ、３８Ｋが設けられている。そして、黒（Ｋ）色のトナーを収容したトナーカートリッジ３８Ｋは、使用頻度が高いため、他のカラーのトナーカートリッジと比較して大きくされている。
【００２９】
この構成により、画像処理装置２９又は外部から、イエロー（Ｙ）、マゼンタ（Ｍ）、シアン（Ｃ）、黒（Ｋ）の各色の画像データが露光装置４０に順次出力される。さらに、露光装置４０から画像データに応じて出射された光は、対応する像保持体３４の表面を露光し、像保持体３４の表面には静電潜像が形成される。像保持体３４の表面に形成された静電潜像は、現像器４２Ｙ、４２Ｍ、４２Ｃ、４２Ｋによって、それぞれイエロー（Ｙ）、マゼンタ（Ｍ）、シアン（Ｃ）、黒（Ｋ）の各色のトナー画像として現像される。
【００３０】
さらに、像保持体３４の表面に、順次形成されたイエロー（Ｙ）、マゼンタ（Ｍ）、シアン（Ｃ）、黒（Ｋ）の各色のトナー画像は、各色の画像形成ユニット３０Ｙ、３０Ｍ、３０Ｃ、３０Ｋの上方に傾斜して配置される中間転写ベルト３２上に、一次転写部材４６によって多重に転写される。
【００３１】
一方、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで装置本体１０Ａに脱着自在とされている。
【００３２】
また、中間転写ベルト３２を挟んで支持ロール５０の反対側には、中間転写ベルト３２上に一次転写されたトナー画像を記録媒体としての記録シートＰに二次転写するための二次転写部材６０が配置されている。つまり、二次転写部材６０と支持ロール５０との間が記録シートＰへトナー画像を転写する二次転写位置とされている。
【００３３】
さらに、二次転写部材６０の上方には、二次転写部材６０によってトナー画像が転写されて搬送経路６２に沿って搬送される記録シートＰにトナー画像を定着させる定着装置６４が設けられている。
【００３４】
図２に示されるように、定着装置６４に対して記録シートＰの搬送方向の下流（以下単に「搬送方向下流」という）には、トナー画像が定着された記録シートＰを搬送する搬送ロール６６が設けられ、搬送ロール６６の搬送方向下流には、記録シートＰの搬送方向を切り替える切替ゲート６８が設けられている。
【００３５】
また、切替ゲート６８の搬送方向下流には、一の方向に切り替えられた切替ゲート６８によって案内される記録シートＰを第一排出部６９に排出させる第一排出ロール７０が設けられている。
【００３６】
さらに、切替ゲート６８の搬送方向下流には、他の方向に切り替えられた切替ゲート６８によって案内されて搬送ロール７３により搬送される記録シートＰを第二排出部７２に排出させる第二排出ロール７４と、記録シートＰを第三排出部７６に排出させる第三排出ロール７８が設けられている。
【００３７】
一方、装置本体１０Ａの下部であって、二次転写部材６０に対して記録シートＰの搬送方向の上流側（以下単に「搬送方向上流側」という）には、記録シートＰが収容される給紙部８０、８２、８４、８６が設けられ、各給紙部８０、８２、８４、８６には、サイズの異なる記録シートＰが収容されている。
【００３８】
さらに、各給紙部８０、８２、８４、８６には、収容された記録シートＰを各給紙部８０、８２、８４、８６から搬送経路６２に持ち出す給紙ロール８８が設けられ、給紙ロール８８の搬送方向の下流には、記録シートＰを一枚ずつ搬送する搬送ロール９０及び搬送ロール９２が設けられている。
【００３９】
また、搬送ロール９２に対して搬送方向下流には、記録シートＰを一端停止させ、決められたタイミングで二次転写位置へ送り出す位置合わせロール９４が設けられている。
【００４０】
一方、記録シートＰの両面に画像を形成させるために、記録シートＰを反転させて搬送する両面用搬送ユニット９８が二次転写位置の側方に設けられている。そして、両面用搬送ユニット９８には、搬送ロール７３を逆転させることで搬送される記録シートＰが送り込まれる反転経路１００が設けられている。さらに、反転経路１００に沿って複数個の搬送ロール１０２が設けられ、これらの搬送ロール１０２によって搬送される記録シートＰは表裏が反転された状態で、位置合わせロール９４に再度搬送される構成となっている。
【００４１】
また、両面用搬送ユニット９８の隣りには、折り畳み式の手差給紙部１０６が設けられている。そして、開放された折り畳み式の手差給紙部１０６から給紙される記録シートＰを搬送する給紙ロール１０８及び搬送ロール１１０、１１２が設けられており、搬送ロール１１０、１１２で搬送された記録シートＰは、位置合わせロール９４に搬送されるようになっている。
【００４２】
（要部構成）
次ぎに、露光装置４０について説明する。
【００４３】
図１に示されるように、露光装置４０の筐体１２２の内部には、各色の像保持体３４に光を照射して像保持体３４の表面を露光する光学系１２０が設けられている。
【００４４】
そして、光学系１２０には、光を出射する光源（図示省略）と、この光源により出射された光を反射偏向する回転多面鏡であるポリゴンミラー１２４と、ポリゴンミラー１２４よって反射された光を透過させるレンズ１２６と、レンズ１２６を透過した光を反射させて各像保持体３４の表面を露光させるミラー１２８とが設けられている。
【００４５】
また、露光装置４０の筐体１２２の一端側（図１に示す右側）は、先細りとなっており、この一端側が低位置となることで露光装置４０が水平方向に対して傾斜するように配置されている。本実施例では、一例として、筐体１２２の内部に収容されるポリゴンミラー１２４等を他端側（図１に示す左側）に配置することで一端側が先細りとされるようになっている。
【００４６】
このように、低位置側となる筐体１２２の一端側を先細りとすることで、露光装置４０を傾斜させて配置しても露光装置４０の下側に生じる無駄な三角空間１３８が少なくなるようになっている。
【００４７】
さらに、筐体１２２の下面は、一端側に設けられた第１の下面１４４Ａと、他端側に設けられた第２の下面１４４Ｂと、第１の下面１４４Ａと第２の下面１４４Ｂの間に設けられた第３の下面１４４Ｃとから構成されている。
【００４８】
ここで、本実施形態の露光装置４０は、前述した装置本体１０Ａに取り付けられる場合の第１の傾斜角度（図１参照）と、装置本体２００Ａに取り付けられる場合の第２の傾斜角度（図１３参照）とで、それぞれ装置本体１０Ａと装置本体２００Ａに取り付けられるようになっている。
【００４９】
そして、図１で示されるように、第１の傾斜角度で露光装置４０が装置本体１０Ａに取り付けられる場合は、第３の下面１４４Ｃが装置本体１０Ａの底板１１（図１１参照）と平行になり、図１３で示されるように、第２の傾斜角度で露光装置４０が装置本体２００Ａに取り付けられる場合は、第１の下面１４４Ａが装置本体２００Ａの底板２０１と平行となるようになっている。
【００５０】
さらに、図１、図１３に示されるように、筐体１２２は、第１の傾斜角度及び第２の傾斜角度で筐体１２２を装置本体１０Ａ、２００Ａに取り付けても筐体１２２の最下端となる最下端部１３２を有する。本実施形態では、最下端部１３２は、第１の下面１４４Ａと第３の下面１４４Ｃとの間に位置する。
【００５１】
また、図４に示されるように、第１の下面１４４Ａと第３の下面１４４Ｃの凹んだ部分から、先細りとなる筐体１２２の一端側を補強するように、板状の補強部材１３０が突出して設けられており、この補強部材１３０の突出端１３０Ａは、第１の下面１４４Ａ及び第３の下面１４４Ｃを形成している。
【００５２】
図１に示されるように、第１の傾斜角度で取り付けられた筐体１２２の一端側には、この最下端部１３２よりも上方に配置され、筐体１２２を装置本体１０Ａに取り付ける一端側取付部の一例としての円柱状のシャフト部材１３４が設けられている。また、このシャフト部材１３４は、装置本体１０Ａの奥行方向（図１に示す紙面垂直方向）に延び、シャフト部材１３４の両端は、奥行方向において筐体１２２から外側に突出するように設けられている。
【００５３】
そして、このシャフト部材１３４は、筐体１２２の上面１２７の仮想延長面１４０と、第１の下面１４４Ａの仮想延長面１４２との間に配置され、筐体１２２の一端側に設けられる２個のブラケット部材１３６（図３、図４参照）によって筐体１２２に固定されている。
【００５４】
また、図１に示されるように、露光装置４０の筐体１２２の他端側（図１に示す左側）であって、筐体１２２の下面１４４Ｂの凹部１４５には、前述した最下端部１３２よりも上方に配置され、筐体１２２を装置本体１０Ａに取り付ける他端側取付部の一例としての円柱状のシャフト部材１４６が奥行方向に延びて設けられている。
【００５５】
そして、図４に示されるように、シャフト部材１４６は、筐体１２２の凹部１４５に設けられた２個のブラケット部材１４８によって筐体１２２に固定され、シャフト部材１４６の両端は、奥行方向において筐体１２２から外側に突出するように設けられている。
【００５６】
なお、シャフト部材１３４及びシャフト部材１４６は、一端側取付部及び他端側取付部の一例であり、この実施形態では、装置本体に対して取り付けられる円柱状のシャフトである。つまり、装置本体に取り付けられればシャフトに限定されるものではなく、例えば、装置本体に取り付けられるブラケット等の部材であってもよい。
【００５７】
そして、図５、図６、図７に示されるように、筐体１２２の一端側に固定されたシャフト部材１３４の両端側は、装置本体１０Ａに設けられた２個の取付具１５０によって装置本体１０Ａ（図２参照）に取り付けられている。
【００５８】
詳細には、図１０、図１１に示されるように、取付具１５０は、シャフト部材１３４を支持する支持部材１５２と、この支持部材１５２に固定されると共に支持部材１５２に支持されたシャフト部材１３４を上方から支持部材１５２に向けて押し付ける押付部材１５４とを備えている。そして、この押付部材１５４は、筐体１２２側が開放されており、さらに、シャフト部材１３４を直に支持部材１５２に向けて押し付けるバネ鋼で成形された押付部１５４Ａと、この押付部１５４Ａを保持する保持部１５４Ｂとを備えている。
【００５９】
これに対し、図５、図６、図７に示されるように、筐体１２２の他端側に固定されたシャフト部材１４６の両端側は、装置本体１０Ａ（図２参照）に設けられた２個の取付具１６０によって装置本体１０Ａに取り付けられている。
【００６０】
詳細には、図１０、図１２に示されるように、取付具１６０は、シャフト部材１４６を支持するＵ溝１６２Ａが形成された支持部材１６２と、この支持部材１６２にボルト１６６で固定されると共に支持部材１６２に支持されたシャフト部材１４６を上方から支持部材１６２に向けて押し付ける押付部材１６４とを備えている。
【００６１】
そして、この押付部材１６４は、シャフト部材１４６を直に支持部材１６２に向けて押し付けるバネ鋼で成形された押付部１６４Ａと、この押付部１６４Ａを保持する保持部１６４Ｂとを備えている。
【００６２】
このように、シャフト部材１３４及びシャフト部材１４６をそれぞれ取付具１５０及び取付具１６０に取り付けることで露光装置４０が装置本体１０Ａに取り付けられるようになっている。
【００６３】
次ぎに、この露光装置４０を装置本体１０Ａに装着する方法について説明する。
【００６４】
図１、図８に示されるように、露光装置４０は、装置本体１０Ａの電源部４１側の側壁に設けられた図示せぬカバーを開放することで、側方から装置本体１０Ａに装着するようになっている。
【００６５】
詳細には、露光装置４０の一端側から装置本体１０Ａに挿入するようになっている。つまり、図８に示されるように、筐体１２２の一端側に固定されたシャフト部材１３４を支持部材１５２と押付部材１５４との間に差し込むように、側方から露光装置４０を装置本体１０Ａ内に挿入する。
【００６６】
さらに、図９に示されるように、シャフト部材１３４を支持部材１５２と押付部材１５４の間に差し込んだ後に、筐体１２２の他端側に固定されたシャフト部材１４６を支持部材１６２のＵ溝１６２Ａに挿入する。また、図１０に示されるように、Ｕ溝１６２Ａにシャフト部材１４６を挿入後、押付部材１６４を支持部材１６２にボルト１６６にて固定する。これにより、第１の傾斜角度で露光装置４０が装置本体１０Ａに取り付けられる。
【００６７】
なお、露光装置４０を装置本体１０Ａから取り外す場合は、装着の場合と逆の作業を行えばよい。
【００６８】
ここで、この露光装置４０が第１の傾斜角度とは異なる第２の傾斜角度で取り付けられる画像形成装置２００について説明する。
【００６９】
図１３には、第１の傾斜角度に対して大きな傾斜角度である第２の傾斜角度で取り付けられた露光装置４０を備えた画像形成装置２００が示されている。
【００７０】
画像形成装置２００の装置本体２００Ａに第２の傾斜角度で固定された露光装置４０の上方には、画像形成部の一例としての各色の画像形成ユニット２０８Ｙ、Ｍ、Ｃ、Ｋが傾斜してこの順で並んで設けられている。なお、以下の説明では、各色を区別する場合には符号に各色に対応する文字（Ｙ、Ｍ、Ｃ、Ｋ）を付加し、特に区別しない場合には各色に対応する文字を省略する。
【００７１】
そして、各色の画像形成ユニット２０８には、露光装置４０から出射される光で表面が露光されて潜像が形成される像保持体２０４と、潜像が形成される前の像保持体２０４の表面を一様に帯電する帯電部材２０２と、像保持体２０４の表面に形成された潜像をトナー画像で可視化する現像器２０６とが設けられている。
【００７２】
さらに、画像形成ユニット２０８の像保持体２０４の上側には、各色の像保持体２０４と接する転写ベルトの一例としての中間転写ベルト２１０が複数個の支持ロール２１８に巻き掛けられて設けられている。
【００７３】
また、中間転写ベルト２１０を挟んで像保持体２０４の反対側には、像保持体２０４の表面に形成されたトナー画像を中間転写ベルト２１０に転写するための一次転写部材２０５が設けられている。
【００７４】
また、露光装置４０の下方には、記録シートＰが収容された給紙部２１２が設けられ、さらに、給紙部２１２に収納された記録シートＰを搬送経路２０３に沿って搬送する複数個の搬送ローラ２１４が設けられている。
【００７５】
そして、搬送経路２０３上には、中間転写ベルト２１０を一端部（紙面右端部）に設けられた支持ロール２１８との間で挟むように、中間転写ベルト２１０に一次転写されたトナー画像を記録シートＰに転写するための二次転写部材２１６が設けられている。
【００７６】
また、二次転写部材２１６に対して記録シートＰの搬送方向の下流側には、記録シートＰに転写されたトナー画像を記録シートＰに定着させる定着装置２２０、及びトナー画像が定着された記録シートＰを外部へ排出する排出ロール２２２が設けられている。
【００７７】
一方、露光装置４０に対して水平方向に並んで、画像形成ユニット２０８等に電力を供給する電源部２２８が設けられている。
【００７８】
次ぎに、露光装置４０がどのように装置本体２００Ａに取り付けられているかを説明する。
【００７９】
図１４、図１５、図１６に示されるように、筐体１２２の一端側に固定されたシャフト部材１３４の両端側は、装置本体２００Ａ（図１３参照）に設けられた２個の取付具２３０によって装置本体２００Ａに取り付けられている。さらに、筐体１２２の他端側に固定されたシャフト部材１４６の両端側は、装置本体２００Ａに設けられた２個の取付具２４０によって装置本体２００Ａに取り付けられている。
【００８０】
そして、図１３、図１９に示されるように、取付具２３０、２４０によって第２の傾斜角度で画像形成装置２００に取り付けられた露光装置４０のシャフト部材１３４及びシャフト部材１４６は、筐体１２２の最下端部１３２よりも上方に配置されている。
【００８１】
詳細には、図１５、図１９に示されるように、取付具２３０は、シャフト部材１３４を支持する支持部材２３２と、この支持部材２３２にボルト２３８によって脱着自在に固定されると共に支持部材２３２に支持されたシャフト部材１３４を上方から支持部材２３２に向けて押し付ける押付部材２３４とを備えている。
【００８２】
さらに、この押付部材２３４は、シャフト部材１３４を直に支持部材２３２に向けて押し付けるバネ鋼で成形された押付部２３４Ａと、この押付部２３４Ａを保持する保持部２３４Ｂとを備えている。
【００８３】
これに対し、図１６、図１９に示されるように、取付具２４０は、シャフト部材１４６を支持するＵ溝２４２Ａが形成された支持部材２４２と、この支持部材２４２にボルト２４６によって脱着自在に固定されると共に支持部材２４２に支持されたシャフト部材１４６を上方から支持部材２４２に向けて押し付ける押付部材２４４とを備えている。
【００８４】
また、この押付部材２４４は、シャフト部材１４６を直に支持部材２４２に向けて押し付けるバネ鋼で成形された押付部２４４Ａと、この押付部２４４Ａを保持する保持部２４４Ｂとを備えている。
【００８５】
次ぎに、この露光装置４０を装置本体２００Ａに装着する方法について説明する。
【００８６】
図１３、図１７、図１８に示されるように、露光装置４０は、装置本体２００Ａの上部に設けられた図示せぬカバーを開放することで、上方から装置本体２００Ａに装着される。
【００８７】
詳細には、露光装置４０を上方から装置本体２００Ａに挿入し、シャフト部材１３４を支持部材２３２に載せ、シャフト部材１４６を支持部材２４２に形成されたＵ溝２４２Ａに挿入する。
【００８８】
さらに、図１９に示されるように、押付部材２３４をボルト２３８によって支持部材２３２に固定し、シャフト部材１３４を支持部材２３２に押し付ける。さらに、押付部材２４４をボルト２４６で支持部材２４２に固定し、シャフト部材１４６を支持部材２４２に押し付ける。これにより、第２の傾斜角度で露光装置４０が装置本体２００Ａに取り付けられる。
【００８９】
なお、露光装置４０を装置本体２００Ａから取り外す場合は、装着の場合と逆の作業を行えばよい。
（作用）
図１、図１３に示されるように、筐体１２２の一端側を先細りとし、その先細りとされた一端側を低位置にして露光装置４０を第１の傾斜角度と第２の傾斜角度でそれぞれ装置本体１０Ａ及び装置本体２００Ａに取り付ける場合に、シャフト部材１３４及びシャフト部材１４６をどちらの傾斜角度で露光装置４０を取り付けても最下端となる最下端部１３２に対して上方に設けることで、露光装置４０の下方に無駄な空間が発生するのが抑制される。
【００９０】
また、筐体１２２の上面の仮想延長面１４０と、筐体１２２の一端側の下面１４４Ａの仮想延長面１４２との間にシャフト部材１３４を設けることで、露光装置４０の上方及び下方に無駄な空間が発生するのが抑制される。
【００９１】
また、電源部４１及び電源部２２８を露光装置４０に対して水平方向に並べて配置することで、電源部が露光装置に対して鉛直方向に重ねられる場合と比して、電源部４１、２２８で発生した熱が露光装置４０に伝達されるのが抑制させる。
【００９２】
また、電源部４１及び電源部２２８を露光装置４０に対して水平方向に並べて配置することで、電源部が露光装置に対して鉛直方向に重ねられる場合と比して、装置本体１０Ａ、２００Ａの高さが高くなるのが抑制される。
【００９３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、露光装置４０が第１の傾斜角度と第２の傾斜角度でそれぞれ装置本体１０Ａ及び２００Ａに取り付けられる構成について説明したが、第１の傾斜角度及び第２の傾斜角度に限定されることなく、シャフト部材１３４及びシャフト部材１４６が最下端部１３２に対して上方に配置されるように露光装置４０を傾斜させて装置本体に取り付ければ、他の傾斜角度で露光装置４０を取り付けてもよい。
【符号の説明】
【００９４】
１０          画像形成装置
１０Ａ        装置本体
３０          画像形成ユニット（画像形成部の一例）
３２          中間転写ベルト（転写ベルトの一例）
３４          像保持体
４０          露光装置
４１          電源部
１２０        光学系
１２２        筐体
１３２        最下端部
１３４        シャフト部材（一端側取付部の一例）
１４０        仮想延長面
１４２        仮想延長面
１４６        シャフト部材（他端側取付部の一例）
１５０        取付具
１６０        取付具
２００        画像形成装置
２００Ａ      装置本体
２０４        像保持体
２０８        画像形成ユニット（画像形成部の一例）
２１０        中間転写ベルト（転写ベルトの一例）
２２８        電源部
２３０        取付具
２４０        取付具
【図１】
2011022251.tif 000003
【図２】
2011022251.tif 000004
【図３】
2011022251.tif 000005
【図４】
2011022251.tif 000006
【図５】
2011022251.tif 000007
【図６】
2011022251.tif 000008
【図７】
2011022251.tif 000009
【図８】
2011022251.tif 000010
【図９】
2011022251.tif 000011
【図１０】
2011022251.tif 000012
【図１１】
2011022251.tif 000013
【図１２】
2011022251.tif 000014
【図１３】
2011022251.tif 000015
【図１４】
2011022251.tif 000016
【図１５】
2011022251.tif 000017
【図１６】
2011022251.tif 000018
【図１７】
2011022251.tif 000019
【図１８】
2011022251.tif 000020
【図１９】
2011022251.tif 000021